【手続補正書】
【提出日】平成19年12月18日(2007.12.18)
【手続補正１】
【補正対象書類名】明細書
【補正対象項目名】発明の名称
【補正方法】変更
【補正の内容】
【発明の名称】情報処理装置及び方法、周辺装置及びその制御方法、並びにプログラム
【手続補正２】
【補正対象書類名】明細書
【補正対象項目名】特許請求の範囲
【補正方法】変更
【補正の内容】
【特許請求の範囲】
【請求項１】  ネットワークを介して通信可能な周辺装置から取得した当該周辺装置に関する情報を表示するための制御を行う表示制御手段と、
前記表示制御手段において表示可能な言語を識別する識別情報を前記周辺装置に対して送信する送信手段と、
前記周辺装置から前記送信手段により送信された識別情報で識別される言語で表現された周辺装置に関する情報を受信する受信手段とを有し、
前記表示制御手段は前記受信手段で受信した識別情報で識別される言語で表現された周辺装置に関する情報を表示するための制御を行うことを特徴とする情報処理装置。
【請求項２】  前記周辺装置で管理している複数の異なる言語を各々識別するための複数の識別情報を取得する取得手段と、
前記取得手段で取得した複数の識別情報の中から前記表示制御手段において表示可能な言語を識別する識別情報を指定する指定手段とを有し、
前記送信手段は、前記指定手段で指定された識別情報を前記周辺装置に対して送信することを特徴とする請求項１に記載の情報処理装置。
【請求項３】  前記周辺装置にはウェブサーバが稼動しており、前記受信手段は前記周辺装置よりウェブコンテンツを受信することを特徴とする請求項１又は２に記載の情報処理装置。
【請求項４】  前記周辺装置に関する情報とは、周辺装置を構成する部品の部品情報であることを特徴とする請求項１乃至３のいずれか１項に記載の情報処理装置。
【請求項５】  ネットワークを介して通信可能な周辺装置から取得した当該周辺装置に関する情報を表示するための制御を行う表示制御ステップと、
前記表示制御ステップで表示可能な言語を識別する識別情報を前記周辺装置に対して送信する送信ステップと、
前記周辺装置から前記送信手段により送信された識別情報で識別される言語で表現された周辺装置に関する情報を受信する受信ステップとを有し、
前記表示制御ステップは、前記受信ステップで受信した識別情報で識別される言語で表現された周辺装置に関する情報を表示するための制御を行うことを特徴とする情報処理方法。
【請求項６】  前記周辺装置で管理している複数の異なる言語を各々識別するための複数の識別情報を取得する取得ステップと、
前記取得手段で取得した複数の識別情報の中から前記表示制御手段において表示可能な言語を識別する識別情報を指定する指定ステップとを有し、
前記送信ステップは、前記指定ステップで指定された識別情報を前記周辺装置に対して送信することを特徴とする請求項１に記載の情報処理方法。
【請求項７】  前記周辺装置にはウェブサーバが稼動しており、前記受信手段は前記周辺装置よりウェブコンテンツを受信することを特徴とする請求項５又は６に記載の情報処理方法。
【請求項８】  前記周辺装置に関する情報とは、周辺装置を構成する部品の部品情報であることを特徴とする請求項５乃至７のいずれか１項に記載の情報処理装置。
【請求項９】  情報処理方法をコンピュータに実行させるプログラムであって、
前記情報処理方法は、ネットワークを介して通信可能な周辺装置から取得した当該周辺装置に関する情報を表示するための制御を行う表示制御ステップと、
前記表示制御ステップで表示可能な言語を識別する識別情報を前記周辺装置に対して送信する送信ステップと、
前記周辺装置から前記送信手段により送信された識別情報で識別される言語で表現された周辺装置に関する情報を受信する受信ステップとを有し、
前記表示制御ステップは、前記受信ステップで受信した識別情報で識別される言語で表現された周辺装置に関する情報を表示するための制御を行うことを特徴とするプログラム。
【請求項１０】  ネットワークを介して情報処理装置と通信可能な周辺装置であって、
複数の異なる地域を識別する識別情報と前記識別情報で識別される地域に対応して表現される周辺装置を構成する部品の部品情報とを対応させて管理する管理手段と、
前記情報処理装置からの設定要求に基づき、前記識別情報を選択する選択手段と、
前記選択手段で選択された前記識別情報で識別される地域に対応して表現される部品情報を出力する出力手段とを有することを特徴とする周辺装置。
【請求項１１】  前記部品情報は、前記識別情報で識別される地域に対応した言語で表現される情報及び前記識別情報で識別される地域固有に管理される情報を含むことを特徴とする請求項１０に記載の周辺装置。
【請求項１２】  前記管理手段で管理する識別情報を前記情報処理装置に対して提供する提供手段とを有し、
前記選択手段は、前記提供手段により提供される識別情報に応じて要求される前記設定要求に基づいて前記識別情報を選択することを特徴とする請求項１０または１１に記載の周辺装置。
【請求項１３】  ネットワークを介して情報処理装置と通信可能な周辺装置の制御方法であって、
複数の異なる地域を識別する識別情報と前記識別情報で識別される地域に対応して表現される周辺装置を構成する部品の部品情報とを対応させて管理する管理ステップと、
前記情報処理装置からの設定要求に基づき、前記識別情報を選択する選択ステップと、
前記選択手段で選択された前記識別情報で識別される地域に対応して表現される部品情報を出力する出力ステップとを有することを特徴とする周辺装置の制御方法。
【請求項１４】  前記部品情報は、前記識別情報で識別される地域に対応した言語で表現される情報及び前記識別情報で識別される地域固有に管理される情報を含むことを特徴とする請求項１３に記載の周辺装置の制御方法。
【請求項１５】  前記管理ステップで管理する識別情報を前記情報処理装置に対して提供する提供ステップとを有し、
前記選択ステップは、前記提供ステップで提供される識別情報に応じて要求される前記設定要求に基づいて前記識別情報を選択することを特徴とする請求項１３または１４に記載の周辺装置。
【請求項１６】  ネットワークを介して情報処理装置と通信可能な周辺装置の制御方法をコンピュータに実行させるプログラムであって、
前記周辺装置の制御方法は、複数の異なる地域を識別する識別情報と前記識別情報で識別される地域に対応して表現される周辺装置を構成する部品の部品情報とを対応させて管理する管理ステップと、
前記情報処理装置からの設定要求に基づき、前記識別情報を選択する選択ステップと、
前記選択手段で選択された前記識別情報で識別される地域に対応して表現される部品情報を出力する出力ステップとを有することを特徴とするプログラム。
【手続補正３】
【補正対象書類名】明細書
【補正対象項目名】０００１
【補正方法】変更
【補正の内容】
【０００１】
【発明の属する技術分野】
本発明はプリンタ、スキャナ、複写機、ＦＡＸ等の周辺機器を制御する情報処理装置及び方法、周辺装置及びその制御方法、並びにプログラムに関する。
【手続補正４】
【補正対象書類名】明細書
【補正対象項目名】００１０
【補正方法】変更
【補正の内容】
【００１０】
本発明は、上述した従来技術の有する問題点を解消するためになされたもので、その目的は、ウェブ・コンテンツの地域・言語情報に指定可能な情報を、ネットワーク等の通信手段を介して外部から取得及び設定することができる周辺機器制御方法、周辺機器制御システム、プログラム及び記憶媒体を提供することである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
【課題を解決するための手段】
上記目的を達成するために、請求項１に記載の情報処理装置は、ネットワークを介して通信可能な周辺装置から取得した当該周辺装置に関する情報を表示するための制御を行う表示制御手段と、前記表示制御手段において表示可能な言語を識別する識別情報を前記周辺装置に対して送信する送信手段と、前記周辺装置から前記送信手段により送信された識別情報で識別される言語で表現された周辺装置に関する情報を受信する受信手段とを有し、前記表示制御手段は前記受信手段で受信した識別情報で識別される言語で表現された周辺装置に関する情報を表示するための制御を行うことを特徴とする。
【手続補正７】
【補正対象書類名】明細書
【補正対象項目名】００１３
【補正方法】変更
【補正の内容】
【００１３】
請求項５に記載の情報処理方法は、ネットワークを介して通信可能な周辺装置から取得した当該周辺装置に関する情報を表示するための制御を行う表示制御ステップと、前記表示制御ステップで表示可能な言語を識別する識別情報を前記周辺装置に対して送信する送信ステップと、前記周辺装置から前記送信手段により送信された識別情報で識別される言語で表現された周辺装置に関する情報を受信する受信ステップとを有し、前記表示制御ステップは、前記受信ステップで受信した識別情報で識別される言語で表現された周辺装置に関する情報を表示するための制御を行うことを特徴とする。
【手続補正８】
【補正対象書類名】明細書
【補正対象項目名】００１４
【補正方法】変更
【補正の内容】
【００１４】
請求項９に記載のプログラムは、情報処理方法をコンピュータに実行させるプログラムであって、前記情報処理方法は、ネットワークを介して通信可能な周辺装置から取得した当該周辺装置に関する情報を表示するための制御を行う表示制御ステップと、前記表示制御ステップで表示可能な言語を識別する識別情報を前記周辺装置に対して送信する送信ステップと、前記周辺装置から前記送信手段により送信された識別情報で識別される言語で表現された周辺装置に関する情報を受信する受信ステップとを有し、前記表示制御ステップは、前記受信ステップで受信した識別情報で識別される言語で表現された周辺装置に関する情報を表示するための制御を行うことを特徴とする。
【手続補正９】
【補正対象書類名】明細書
【補正対象項目名】００１５
【補正方法】変更
【補正の内容】
【００１５】
上記請求項１０に記載の周辺装置は、ネットワークを介して情報処理装置と通信可能な周辺装置であって、複数の異なる地域を識別する識別情報と前記識別情報で識別される地域に対応して表現される周辺装置を構成する部品の部品情報とを対応させて管理する管理手段と、前記情報処理装置からの設定要求に基づき、前記識別情報を選択する選択手段と、前記選択手段で選択された前記識別情報で識別される地域に対応して表現される部品情報を出力する出力手段とを有することを特徴とする。
【手続補正１０】
【補正対象書類名】明細書
【補正対象項目名】００１６
【補正方法】変更
【補正の内容】
【００１６】
請求項１３に記載の周辺装置の制御方法は、ネットワークを介して情報処理装置と通信可能な周辺装置の制御方法であって、複数の異なる地域を識別する識別情報と前記識別情報で識別される地域に対応して表現される周辺装置を構成する部品の部品情報とを対応させて管理する管理ステップと、前記情報処理装置からの設定要求に基づき、前記識別情報を選択する選択ステップと、前記選択手段で選択された前記識別情報で識別される地域に対応して表現される部品情報を出力する出力ステップとを有することを特徴とする。
【手続補正１１】
【補正対象書類名】明細書
【補正対象項目名】００１７
【補正方法】変更
【補正の内容】
【００１７】
請求項１６に記載のプログラムは、ネットワークを介して情報処理装置と通信可能な周辺装置の制御方法をコンピュータに実行させるプログラムであって、前記周辺装置の制御方法は、複数の異なる地域を識別する識別情報と前記識別情報で識別される地域に対応して表現される周辺装置を構成する部品の部品情報とを対応させて管理する管理ステップと、前記情報処理装置からの設定要求に基づき、前記識別情報を選択する選択ステップと、前記選択手段で選択された前記識別情報で識別される地域に対応して表現される部品情報を出力する出力ステップとを有することを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】０１５３
【補正方法】変更
【補正の内容】
【０１５３】
【発明の効果】
以上詳述したように、本発明によれば、ウェブ・コンテンツの地域・言語情報に指定可能な情報を、ネットワーク等の通信手段を介して外部から取得及び設定することができる。
【手続補正５１】
【補正対象書類名】明細書
【補正対象項目名】０１５４
【補正方法】削除
【補正の内容】
【手続補正５２】
【補正対象書類名】明細書
【補正対象項目名】０１５５
【補正方法】削除
【補正の内容】
【手続補正５３】
【補正対象書類名】明細書
【補正対象項目名】０１５６
【補正方法】削除
【補正の内容】
【手続補正５４】
【補正対象書類名】明細書
【補正対象項目名】０１５７
【補正方法】削除
【補正の内容】
【手続補正５５】
【補正対象書類名】明細書
【補正対象項目名】０１５８
【補正方法】削除
【補正の内容】
【手続補正５６】
【補正対象書類名】明細書
【補正対象項目名】０１５９
【補正方法】削除
【補正の内容】
【手続補正５７】
【補正対象書類名】明細書
【補正対象項目名】０１６０
【補正方法】削除
【補正の内容】
【手続補正５８】
【補正対象書類名】明細書
【補正対象項目名】０１６１
【補正方法】削除
【補正の内容】
【手続補正５９】
【補正対象書類名】明細書
【補正対象項目名】０１６２
【補正方法】削除
【補正の内容】
【手続補正６０】
【補正対象書類名】明細書
【補正対象項目名】０１６３
【補正方法】削除
【補正の内容】
【手続補正６１】
【補正対象書類名】明細書
【補正対象項目名】０１６４
【補正方法】削除
【補正の内容】
【手続補正６２】
【補正対象書類名】明細書
【補正対象項目名】０１６５
【補正方法】削除
【補正の内容】
【手続補正６３】
【補正対象書類名】明細書
【補正対象項目名】０１６６
【補正方法】削除
【補正の内容】
【手続補正６４】
【補正対象書類名】明細書
【補正対象項目名】０１６７
【補正方法】削除
【補正の内容】